(57)【要約】      （修正有）【課題】フォークの先端側に吊持した被吊持物がずれたり外れたりするのを防ぐことができるフォークリフト用掛止具を提供する。【解決手段】フォークリフトＡにおける複数のフォークａ１の内の一つに対し装着可能な装着部１０と、該装着部１０に対し一体的に設けられて被吊持物を掛止可能な掛止部２０と、を具備してなるフォークリフト用掛止具１であって、前記掛止部２０は、前記装着部１０がフォークａ１に装着された状態で、側面視略凹状に保持されるように形成されている。【選択図】図１
2009096597.tif 000002
【特許請求の範囲】
【請求項１】
フォークリフトにおける複数のフォークの内の一つに対し装着可能な装着部と、該装着部に対し一体的に設けられて被吊持物を掛止可能な掛止部と、を具備してなるフォークリフト用掛止具であって、
前記掛止部は、前記装着部がフォークに装着された状態で、側面視略凹状に保持されるように形成されていることを特徴とするフォークリフト用掛止具。
【請求項２】
前記掛止部は、フォーク幅よりも狭い幅に形成されるとともに、前記装着部が前記フォークに装着された状態で、フォークの先端から前方へ突出するように形成されていることを特徴とする請求項１記載のフォークリフト用掛止具。
【請求項３】
前記装着部は、フォークの上面に対し長手方向へわたって装着されるように形成されるとともに、その装着状態において前記長手方向に交差する方向の断面形状が上向き凸湾曲状となるように形成されていることを特徴とする請求項１又は２記載のフォークリフト用掛止具。
【請求項４】
前記装着部の後端側には、吊持された被吊持部が後方へ移動するのを阻むように、係止凸部が形成されていることを特徴とする請求項１乃至３何れか１項記載のフォークリフト用掛止具。
【請求項５】
前記装着部は、その後端側にフォークを挿入可能な被挿入部を有するとともに、その前端側に、フォーク前端側の上下貫通孔に対し嵌め合い可能な嵌合凸部を有することを特徴とする請求項１乃至４何れか1項記載のフォークリフト用掛止具。
【請求項６】
前記装着部には、前記嵌合凸部の前後方向の位置を調整する前後位置調整手段が設けられていることを特徴とする請求項１乃至５何れか１項記載のフォークリフト用掛止具。
【請求項７】
前記装着部の前記被挿入部には、フォーク幅方向に対応する内側寸法を調整する幅調整手段が設けられていることを特徴とする請求項１乃至６何れか1項記載のフォークリフト用掛止具。
【請求項８】
前記装着部の前記被挿入部には、フォーク厚さ方向に対応する内側寸法を調整する厚さ調整手段が設けられていることを特徴とする請求項１乃至７何れか1項記載のフォークリフト用掛止具。
【発明の詳細な説明】
【技術分野】
【０００１】
本発明は、フォークリフトのフォークに装着されて、収納袋等の被吊持物を掛止するようにしたフォークリフト用掛止具に関するものである。
【背景技術】
【０００２】
従来、フォークリフトで、作物や、肥料、土等が収納された袋を吊持する場合、例えば、図７に示すように、フォーク１１０（ツメと称する場合もある）の先端を、収納袋１２０（被吊持物）上端の環状の手提げ部１２１に挿通させ、フォーク１１０を上昇させるようにしていた。
【０００３】
しかしながら、上記のような従来の方法では、フォーク１１０の先端側が下方へ傾斜していた場合や、フォークリフトを後退させた場合等に、フォーク１１０から収納袋１２０が外れてしまう場合がある。
また、フォーク１１０の先端側が上方へ傾斜していた場合や、フォークリフトを前進させた場合等には、収納袋１２０がフォーク１１０の後方へずれてしまう場合がある。
そして、前記のようにして収納袋１２０がフォーク１１０に対しずれた場合、収納袋１２０の手提げ部１２１が、フォーク１１０の角部分に擦れて切れ、収納袋１２０が落下してしまうおそれもある。
また、一本のフォーク１１０に複数の収納袋１２０を吊持するようにした場合には、収納袋１２０同士が揺れて緩衝し、その際の衝撃で先端側の収納袋１２０が外れてしまうような場合もある。
【０００４】
なお、本発明に関連する先行技術文献の内、出願人が当該特許出願の時に知っているものがないので、開示すべき先行技術文献情報はない。
【発明の開示】
【発明が解決しようとする課題】
【０００５】
本発明は上記従来事情に鑑みてなされたものであり、その課題とする処は、フォークリフトのフォークに吊持した被吊持物が、ずれたり外れたりするのを防ぐことができるフォークリフト用掛止具を提供することにある。
【課題を解決するための手段】
【０００６】
上記課題を解決するために本発明に係る技術的手段は、フォークリフトにおける複数のフォークの内の一つに対し装着可能な装着部と、該装着部に対し一体的に設けられて被吊持物を掛止可能な掛止部と、を具備してなるフォークリフト用掛止具であって、前記掛止部は、前記装着部がフォークに装着された状態で、側面視略凹状に保持されるように形成されていることを特徴とする。
【０００７】
更なる技術的手段では、前記掛止部は、フォーク幅よりも狭い幅に形成されるとともに、前記装着部が前記フォークに装着された状態で、フォークの先端から前方へ突出するように形成されていることを特徴とする。
【０００８】
更なる技術的手段では、前記装着部は、フォークの上面に対し長手方向へわたって装着されるように形成されるとともに、その装着状態において前記長手方向に交差する方向の断面形状が上向き凸湾曲状となるように形成されていることを特徴とする。
【０００９】
更なる技術的手段では、前記装着部の後端側には、吊持された被吊持部が後方へ移動するのを阻むように、係止凸部が形成されていることを特徴とする。
【００１０】
更なる技術的手段では、前記装着部は、その後端側にフォークを挿入可能な被挿入部を有するとともに、その前端側に、フォーク前端側の上下貫通孔に対し嵌め合い可能な嵌合凸部を有することを特徴とする。
【００１１】
更なる技術的手段では、前記装着部には、前記嵌合凸部の前後方向の位置を調整する前後位置調整手段が設けられていることを特徴とする。
【００１２】
更なる技術的手段では、前記装着部の前記被挿入部には、フォーク幅方向に対応する内側寸法を調整する幅調整手段が設けられていることを特徴とする。
【００１３】
更なる技術的手段では、前記装着部の前記被挿入部には、フォーク厚さ方向に対応する内側寸法を調整する厚さ調整手段が設けられていることを特徴とする。
【発明の効果】
【００１４】
本発明は、以上説明したように構成されているので、以下に記載されるような作用効果を奏する。
本発明に係るフォークリフト用掛止具によれば、フォークリフトのフォークに対し装着部が装着されると、掛止部が側面視略凹状に保持される。したがって、掛止部に掛止された被吊持物は、掛止部の凹状部分に入り込み、前後方向への移動が阻まれる。
よって、フォークリフトのフォークに吊持した被吊持物がずれたり外れたりするのを防ぐことができる。
【発明を実施するための最良の形態】
【００１５】
以下、本発明の実施の形態を図面に基づいて説明する。
このフォークリフト用掛止具１は、フォークリフトＡにおける複数のフォークａ１（ツメと呼称される場合もある）の内の一つに対し着脱可能に装着される装着部１０と、該装着部１０に対し一体に固定されて被吊持物ｂ（図６参照）を掛止可能な掛止部２０とを具備してなる。
なお、このフォークリフト用掛止具１によって掛止される前記被吊持物ｂは、図示例によれば、収穫物や、肥料、土等を収納するための収納袋であり、上端側に環状の手提げ部ｂ１を有し、この手提げ部ｂ１に掛止部２０が挿通されて吊り下げられるようになっている。
【００１６】
装着部１０は、フォークａ１の上面に対し長手方向の略全長へわたって装着されるように形成されるとともに、その装着状態において前記長手方向に略直交する方向の断面形状が上向き凸湾曲状となるように形成されている。
より詳細に説明すれば、この装着部１０は、円筒体を中心線に平行な平面によって切断した形状の本体部１１と、該本体部１１の底面に設けられた複数の底面部１２（図４参照）と、本体部１１の後端側に配置されてフォークａ１を挿入可能な被挿入部１３と、本体部１１の前端側に配置されてフォークａ１前端側の上下貫通孔ａ１１に対し嵌め合い可能な嵌合凸部１４と、本体部１１の上面側に設けられて被吊持物ｂの後方への移動を阻む係止凸部１５とを備えている。
【００１７】
本体部１１は、例えば、金属製のパイプ材を中心線に沿って切断することで形成され、フォークａ１の幅寸法と略同等または若干狭い幅に形成されている。
この本体部１１の切断面である底面側端部には、フォークａ１上面に当接させるための底面部１２が設けられる。
【００１８】
この底面部１２は、図示例によれば、本体部１１の長手方向に略直交するとともに、本体部１１の前記底面側端部をわたる金属板であり、本体部１１の長手方向に所定間隔を置いて複数（図示例によれば２つ）配設され、溶接等の固定手段により本体部１１に対し固定されている。
【００１９】
また、被挿入部１３は、図３に例示するように、金属材料から略矩形枠状に形成され、本体部１１の後端側の底面に対し、溶接等の固定手段によって固定されている。
この被挿入部１３には、フォーク幅方向に対応する内側寸法を調整する幅調整手段１３ａや、フォーク厚さ方向に対応する内側寸法を調整する厚さ調整手段１３ｂが設けられている。
【００２０】
幅調整手段１３ａは、被挿入部１３における本体部１１よりも幅拡方向へ突出する部分に設けられた複数の上下貫通孔１３ａ１と、これら上下貫通孔１３ａ１に挿通可能な挿入ピン１３ａ２とを具備してなる。
【００２１】
上下貫通孔１３ａ１は、被挿入部１３における幅方向両端側の各々に、幅方向へ間隔を置いて複数（図示例によれば２つ）設けられる。
挿入ピン１３ａ２は、前記複数の上下貫通孔１３ａ１に対し選択的に挿通されるピンであり、図示例によれば一端側に環状の頭部を有するとともに他端側の軸状部分を前記上下貫通孔１３ａ１へ挿通させる。この挿入ピン１３ａ２の前記他端側には、被挿入部１３よりも下方側において交差方向に貫通するピン孔が設けられ、このピン孔にストッパーピン１３ａ３が挿通されることで、挿入ピン１３ａ２が上下貫通孔１３ａ１から抜けないように保持される。
また、被挿入部１３の側部には、不使用時の挿入ピン１３ａ２を挿通させて収納するためのピン収納部１３ａ４が、上下方向へわたる筒状に設けられている。
【００２２】
上記構成の被挿入部１３および幅調整手段１３ａによれば、例えばフォークａ１に対し、被挿入部１３の内幅が広すぎた場合には、挿入ピン１３ａ２が幅方向中央寄りの上下貫通孔１３ａ１に挿通されることで、フォークａ１に対し装着部１０が幅方向へがたつくのを防ぐことができる。
なお、幅調整手段１３ａの他例としては、挿入ピン１３ａ２を幅方向へ無段階にスライドさせて固定する構造とすることも可能である。
【００２３】
また、厚さ調整手段１３ｂは、枠状を呈する被挿入部１３の底面部に、単数もしくは複数のボルト１３ｂ１を螺合させ、該ボルト１３ｂ１の先端をフォークａ１の下端面に当接させるようにしている。
この構成によれば、フォークａ１が比較的薄い場合であっても、ボルト１３ｂ１を捻じ込むことで、フォークａ１に対する装着部１０の上下方向のがたつきを防ぐことができる。また、仮に厚さ調整手段１３ｂを具備しない場合には、フォークａ１が被挿入部１３内に食い込んで抜けにくくなるおそれがあるが、このようなことも防止することができる。
なお、この厚さ調整手段１３ｂを省いた態様とすることも可能である。
【００２４】
また、装着部１０前端側の嵌合凸部１４は、図５に示すように、略Ｌ字状に曲げられた棒体であり、その一端側を下方へ向けた状態で、装着部１０の本体部１１に対し固定され、その前後方向位置が、前後位置調整手段１６により調整されるようになっている。
そして、嵌合凸部１４の前記一端側には、ストッパーピン１４ｂ（図２参照）を挿通させるための貫通孔１４ａが設けられる
【００２５】
前後位置調整手段１６は、嵌合凸部１４における水平状の基端側を挿入させる被挿入部１６ａと、該被挿入部１６ａの下端側の壁部に対し螺合された複数の螺合部材１６ｂ，１６ｃとから構成される。
被挿入部１６ａは、嵌合凸部１４の基端側を挿通可能な空間を確保するようにして、本体部１１の前端側内部に固定された金属製の部材であり、下方から複数の複数の螺合部材１６ｂ，１６ｃを螺合させている。
図示例によれば、螺合部材１６ｂは、拡径頭部を有する一般的なボルトであり、螺合部材１６ｃは、六角レンチやドライバー等により締め付けられるようにした拡径頭部のないネジである。
【００２６】
なお、前記嵌合凸部１４の下端側（貫通孔１４ａ側）が、フォーク幅方向へ傾いてしまうのを防ぐ構造として、嵌合凸部１４を構成する棒状部材の基端側（被挿入部１６ａに挿入された部分）に、平坦部（図示せず）を設け、この平坦部に螺合部材１６ｂ，１６ｃの先端を当接させるようにしてもよい。更に、他例としては、前記基端側に、螺合部材１６ｂ，１６ｃを螺合する構造としてもよい。
【００２７】
また、係止凸部１５は、図示例によれば、本体部１１の後端側において上方へ突出するように設けられ、より具体的に説明すれば、金属製の丸棒材を略Ｖ字状に曲げた形状を呈し、上下逆さの略Ｖ字状になるように本体部１１の後端側に固定されている。
【００２８】
また、掛止部２０は、装着部１０がフォークａ１に装着された状態で、フォークａ１の先端から前方へ突出して側面視略凹状に保持される。
この掛止部２０は、例えば、装着部１０の本体部１１よりも幅の狭い金属丸棒材を側面視略逆へ字状に曲げることで、その曲げ部分を凹曲部２１としており、本体部１１の前端に固定されている。
なお、図示例の掛止部２０は、単数の凹曲部２１を有するように形成されるが、他例としては、複数の凹曲部２１を有する形状とすることで、これら複数の凹曲部２１の各々に対し被吊持物ｂが吊持されるようにしてもよい。
【００２９】
次に、上記構成のフォークリフト用掛止具１をフォークａ１に対し装着する手順を、詳細に説明する。
先ず、図２（ａ）に示すように、フォークリフト用掛止具１における装着部１０後端の被挿入部１３が、フォークａ１に対し環状に装着される。換言すれば、環状の被挿入部１３に対しフォークａ１の先端側が挿入される
【００３０】
次に、フォークリフト用掛止具１がフォークａ１の略基端部まで押し込まれた後、装着部１０前端側の嵌合凸部１４が、フォークａ１前端側の上下貫通孔ａ１１に対し嵌め合わせられる。
そして、フォークリフト用掛止具１がフォークａ１に対し幅方向へがたつかないように、幅調整手段１３ａの挿入ピン１３ａ２の位置が調整される。
また、フォークリフト用掛止具１がフォークａ１に対し上下方向へがたつかないように、厚さ調整手段１３ｂのボルト１３ｂ１が締め付けられる。
【００３１】
また、嵌合凸部１４が上下貫通孔ａ１１に対し嵌り合う位置にない場合には、前後位置調整手段１６により嵌合凸部１４の前後方向位置を調整して、嵌合凸部１４を上下貫通孔ａ１１に嵌め合わせるようにする。
【００３２】
次に、図２（ｃ）に示すように、フォークａ１を貫通した嵌合凸部１４の下端に、ストッパーピン１４ｂが装着され、更に、被挿入部１３に挿入された挿入ピン１３ａ２の下端にも、ストッパーピン１３ａ３が装着される。
したがって、フォークリフト用掛止具１は、フォークａ１に対し上下左右への移動を規制された状態となる。
【００３３】
そして、上記のようにしてフォークａ１に装着されたフォークリフト用掛止具１には、図６に示すように、複数の被吊持物ｂ，ｂが吊持される。
この吊持態様について詳細に説明すれば、例えば、一方の被吊持物ｂの環状の手提げ部ｂ１に対し掛止部２０が挿入され、この挿入された掛止部２０の凹曲部２１に、前記手提げ部ｂ１が掛けられた状態となる（図６においてフォークａ１前端側参照）。
この掛止状態では、手提げ部ｂ１が凹曲部２１に嵌り込んでいるため、掛止部２０が前方へずれて外れたり、後方へずれたり等するようなことを防ぐことができる。
【００３４】
更に、図６に示す吊持態では、他方の被吊持物ｂの環状の手提げ部ｂ１に対し、掛止部２０及び装着部１０が挿入され、装着部１０の上面側によって、手提げ部ｂ１が掛けられた状態となる（図６においてフォークａ１後端側参照）。
この状態では、装着部１０の上面側が凸湾曲状に形成されているため、被吊持物ｂの手提げ部ｂ１が傷つけられるようなことを防ぐことができる。更に、被吊持物ｂの後方への移動を、係止凸部１５によって阻むことができる。
【００３５】
なお、図６に示すように単一のフォークリフト用掛止具１に対し複数の被吊持物ｂを吊持するようにしてもよいし、単一のフォークリフト用掛止具１に対し単数の被吊持物ｂを吊持するようにしてもよい。
【００３６】
また、当該フォークリフト用掛止具１は、図１に示すように、フォークリフトＡにおける双方のフォークａ１にそれぞれ装着されて用いられてもよいし、図示を省略するが、フォークリフトＡにおける一方のフォークａ１にのみに装着されて用いられてもよい。
【００３７】
また、フォークａ１の上下貫通孔ａ１１は、アイボルト等を挿通させるために一般的なフォークリフトのフォークに設けられる孔であるが、この上下貫通孔ａ１１が無いフォークである場合には、嵌合凸部１４が外された状態で、フォークリフト用掛止具１を用いるようにしてもよい。
【図面の簡単な説明】
【００３８】
【図１】本発明に係わるフォークリフト用掛止具をフォークリフトのフォークに装着した状態を示す斜視図である。
【図２】同フォークリフト用掛止具をフォークに装着する手順を示す側面図であり、（ａ）はフォークに対しフォークリフト用掛止具を装着しようとしている状態を示し、（ｂ）はフォークに対しフォークリフト用掛止具の被挿入部を環装させ、フォーク前端側の上下貫通孔に嵌合凸部を嵌め合わせようとしている状態を示し、（ｃ）はフォークに対しフォークリフト用掛止具が装着された状態を示す。
【図３】同フォークリフト用掛止具の後端面図である。
【図４】同フォークリフト用掛止具の下面図である。
【図５】同フォークリフト用掛止具における嵌合凸部の調整構造を示す要部断面図である。
【図６】同フォークリフト用掛止具を装着したフォークリフトによって複数の被吊持物を吊持した状態を示す側面図である。
【図７】従来のフォークリフトのフォークに被吊持物を吊持した状態を示す側面図である。
【符号の説明】
【００３９】
１：フォークリフト用掛止具              １０：装着部
１３：被挿入部                      １３ａ：幅調整手段
１３ｂ：厚さ調整手段                  １４：嵌合凸部
１５：係止凸部                        １６：前後位置調整手段
２０：掛止部                            Ａ：フォークリフト
ａ１：フォーク                      ａ１１：上下貫通孔
【図１】
2009096597.tif 000003
【図２】
2009096597.tif 000004
【図３】
2009096597.tif 000005
【図４】
2009096597.tif 000006
【図５】
2009096597.tif 000007
【図６】
2009096597.tif 000008
【図７】
2009096597.tif 000009